(57)【要約】　【課題】　カメラ用データ写し込み装置において、測光機構等の複雑な機構を必要とすることなくデータパターンおよびその背景を常に良好に写し込むことを可能にする。　【解決手段】　カメラ用データ写し込み装置６は写真フィルム３の裏面側に位置するデータ写し込み用モジュール５と、その前側に位置するフィルタ板４を備えている。フィルタ板４では、赤色光以外の光を透過させる光透過性を備えたフィルタを採用することにより赤色系の色調で写し込まれるデータパターンを鮮明化できる。【選択図】　　　図１
2004046270.tif 000002
【特許請求の範囲】
【請求項１】
　カメラ本体内に配置される写真フィルムのデ―タ写し込み領域に入射する撮影光を遮断可能な位置に配置されたフィルタを有し、前記データ写し込み領域にデータパターンを写し込むカメラ用データ写し込み装置において、前記フィルタは、赤色光以外の波長の光を透過させるフィルタ特性を備えていることを特徴とするカメラ用データ写し込み装置。
【請求項２】
　請求項１において、前記フィルタは、前記データ写し込み領域での撮影光の受光量低下率が８０％から４０％の範囲の値となるように、当該フィルタの光透過率が設定されていることを特徴とするカメラ用データ写し込み装置。
【発明の詳細な説明】
【技術分野】
【０００１】
　本発明は、液晶パネルによって形成したデータパターンを写真フィルムに写し込むためのカメラ用データ写し込み装置に関するものである。更に詳しくは、本発明は、被写体の輝度の高低に影響されることなくデータパターンを鮮明に写し込むための機構を備えたカメラ用データ写し込み装置に関するものである。
【背景技術】
【０００２】
　カメラ用データ写し込み装置では、被写体の輝度が高い場合にデータパターンを鮮明に写し込むことができない場合がある。この弊害を防止するために、データパターンが写し込まれる写真フィルムのデータ写し込み領域を、遮光板によって撮影光から遮断しておく方法が提案されている。この方法では、データパターンを鮮明に写し込むことはできるが、このデータパターンが写し込まれた写真フィルムの領域は撮影光から完全に遮断されているので、被写体像が全く写らないという弊害が新たに発生する。
【０００３】
　このために、例えば、特開平７−２６１２５７号公報において開示されている
ように、写真フィルムのデータ写し込み領域に写し込まれる被写体の輝度を測定し、輝度が高い場合にのみ、データ写し込み領域を遮光板によるマスクして、デ―タパターンを鮮明に写し込めるようにしている。類似の構造を備えたデータ写し込み装置は、特開平１−２２２２４５号公報、特開昭５６−７４２３３号公報にも開示されている。
【発明の開示】
【発明が解決しようとする課題】
【０００４】
　しかしながら、上記の特許公開公報に開示されている方法でも、被写体の輝度が高い場合にはデータ写し込み領域が遮光されるので、その部分の被写体が写真フィルムには写らないという欠点は依然として残っている。
【０００５】
　また、上記の方法を採用するためには、被写体の輝度を測定するための測光機
能が備わっている必要がある。従って、この方法は、レンズ付きフィルム等の安価なカメラに代表されるような、測光機能、露出補正機能等が搭載されていないカメラには一般に採用できない。
【０００６】
　本発明の課題は、被写体の輝度の高低に影響されずに、写真フィルムのデータ
写し込み領域に鮮明なデータパターンを写し込み可能なカメラ用データ写し込み装置を提案することにある。
【０００７】
　また、本発明の課題は、写真フィルムのデータ写し込み領域に対してデータパ
ターンと共に被写体画像を常に写し込み可能であり、しかも鮮明なデータパターンの写し込みを行うことのできるカメラ用データ写し込み装置を提案することにある。
【０００８】
　さらに、本発明の課題は、測光機能、露出補正機能等が搭載されていない安価
なカメラに搭載した場合においても、鮮明なデータパターンを写し込み可能なカメラ用データ写し込み装置を提案することにある。
【課題を解決するための手段】
【０００９】
　本発明は、カメラ本体内に配置される写真フィルムのデータ写し込み領域にデ―タパターンを写し込むカメラ用データ写し込み装置において、前記データ写し込み領域に入射する撮影光を遮断可能な位置に配置されたフィルタを有している。また、当該フィルタによる前記データ写し込み領域での撮影光の受光量低下率が８０％から４０％の範囲内の値となるように、当該フィルタの光透過率を設定している。この受光量低下率の範囲は、７５％から５０％の範囲内の値とすることが望ましい。
【００１０】
　このようにフィルタの光透過率を設定しておけば、写真フィルムのデータ写し
込み領域には、被写体の輝度の高低に関わりなく、当該被写体を充分に認識できる状態で写し込むことができる。また、被写体の輝度が高い場合においても、デ―タパターンを、充分に認識できる程度の鮮明度で写し込むことができる。
【００１１】
　ここで、前記フィルタを写真フィルムに近接配置する場合には、上記の範囲内
の受光量低下率を得るためには、当該フィルタの光透過率を、２０％から６０％の範囲内、好ましくは、２５％から５０％の範囲内の値にすればよい。
【００１２】
　次に、前記フィルタの輪郭が写真フィルムに明確に写ってしまうことを防止す
るために、次の構成を採用することが望ましい。
【００１３】
　まず、前記フィルタとして、前記データ写し込み領域に入射する撮影光を遮断
可能な大きさの中心部分と、当該中心部分の周囲に形成された周辺部分とを備えた構成のものを採用する。そして、当該中心部分による前記データ写し込み領域での撮影光の受光量低下率が８０％から４０％の範囲内の値となるように、当該フィルタの光透過率を設定する。しかるに、前記周辺部分の光透過率を前記中心部分の光透過率よりも大きな値に設定する。このように前記周辺部分の透過率を大きな値にしておけば、前記フィルタの輪郭は殆ど写真フィルム上に写らない。
【００１４】
　この場合、前記中心部分および前記周辺部分の光透過率は、前記中心部分の中
心から前記周辺部分に向けて漸増するように設定すれば、更にフィルタの輪郭を不明瞭にできるので好ましい。
【００１５】
　上記のように前記フィルタの透過率を変化させる代わりに、当該フィルタの輪
郭が明確に写真フィルムに写し込まれることの無いように、前記フィルタを、前記写真フィルム配置部から離れた位置に配置する構成を採用してもよい。
【００１６】
　次に、前記フィルタとしては、少なくとも写真フィルムの１コマ分の感光面に
対応する大きさの透明シートの一部に形成されたものを使用できる。このような透明シートを用いれば、当該透明シートを写真フィルムに対して位置決めすることにより、当該透明シートに形成されているフィルムの部分を写真フィルム上のデータ写し込み領域に一致させることができる。よって、前記フィルムの取り付け作業、位置決め作業が簡単になる。
【００１７】
　このような透明シートを用いる場合においても、そこに形成した前記フィルタ
の透過率は、当該フィルタの中心部分から周辺部分に向けて漸増するように設定すれば、前記フィルタの輪郭が明確に写真フィルムに写し込まれることを防止できるので望ましい。
【００１８】
　次に、前記フィルタとして、シート状フィルタを用いることができる。この場
合、フィルタの輪郭が写真フィルムに鮮明に写し込まれることの無いようにするためには、次のようにすることが望ましい。すなわち、当該シート状フィルタの端面に、入射した撮影光が当該端面で反射して前記写真フィルム配置部の側に向かうことの無いように、反射防止手段を形成することが望ましい。
【００１９】
一方、本発明においては、前記フィルタの光透過率を変える代わりに、当該フ
ィルタとして、赤色光以外の波長の光を透過させる光透過特性を備えたものを採用している。一般的に、写真フィルムの裏面側からデータパターンの写し込みを行うと、赤側の感度が高い状態でデータパターンが写し込まれる。従って、撮影光から赤色光を除去すれば、データパターンを鮮明に写し込むことができる。
【発明の効果】
【００２０】
　以上説明したように、本発明のカメラ用データ写し込み装置においては、写真フィルムのデータ写し込み領域に入射する撮影光を遮断可能な位置に配置されたフィルタを有し、当該フィルタによるデータ写し込み領域での撮影光の受光量低下率が８０％から４０％の範囲内の値となるように、当該フィルタの光透過率を設定している。このようにフィルタの光透過率を設定しておけば、写真フィルムのデータ写し込み領域には、被写体の輝度の高低に関わりなく、当該被写体を充分に認識できる状態で写し込むことができる。また、被写体の輝度が高い場合においても、データパターンを、充分に認識できる程度の鮮明度で写し込むことができる。従って、本発明によれば、データ写し込み領域には、背景としても被写体が常に写された状態で、データパターンを鮮明に写し込むことができる。また、測光機構や遮光マスクの移動機構等を必要とすることなく、データパターンおよびその背景である被写体像を常に良好な状態で写し込むことができる。
【００２１】
　次に、本発明において、フィルタの光透過率を周辺側が中心側よりも大きくす
るようにした場合には、フィルタの輪郭が写真フィルムに明確な状態で写ってしまうことを防止できるという効果を奏する。
【００２２】
　また、本発明において、フィルタを写真フィルム配置部から離れた位置に配置
した場合には、フィルタの輪郭が写真フィルムに明確な状態で写ってしまうことを防止できるという効果を奏する。
【００２３】
　さらに、本発明において、フィルタとして、少なくとも写真フィルムの１コマ
分の感光面に対応する大きさの透明シートの一部に形成されたものを使用した場合には、当該透明シートを写真フィルムに対して位置決めすることにより、当該透明シートに形成されているフィルムの部分を写真フィルム上のデータ写し込み領域に一致させることができるので、フィルムの取り付け作業、位置決め作業が簡単になるという効果を奏する。
【００２４】
　次に、本発明において、フィルタの端面に、入射した撮影光が当該端面で反射
して写真フィルム配置部の側に向かうことの無いように、反射防止手段を形成した場合には、フィルタの輪郭が写真フィルムに鮮明に写し込まれることを防止できるという効果を奏する。
【００２５】
一方、本発明において、フィルタとして、赤色光以外の波長の光を透過させる光透過特性を備えたものを採用している場合には、赤色系の色調で写し込まれるデ―タパターンを鮮明化できるという効果を奏する。
【発明を実施するための最良の形態】
【００２６】
　以下に図面を参照して、本発明を適用したカメラ用データ写し込み装置を説明する。
【００２７】
　図１は、本発明を適用したカメラ用データ写し込み装置が組み込まれたカメラ
における撮影レンズと写真フィルムとカメラ用データ写し込み装置の配置関係を示す説明図である。この図において、１はカメラ本体であり、このカメラ本体１の筐体１１の前面には撮影レンズ１２が取り付けられている。この撮影レンズ１２を介して外部の被写体からの撮影光（図においては２本の想像線Ｌ１、Ｌ２で示してある。）が入射されて、カメラ本体１の内部に形成されている写真フィルム配置部１３（図において想像線で示す位置）に配置された写真フィルム３に結像するようになっている。
【００２８】
　写真フィルム配置部１３における画角内（２本の想像線Ｌ１、Ｌ２の範囲内）
に位置する１コマ分の写真フィルム３のデータ写し込み領域３ｂは、図において斜線でその部分が示されている。このデータ写し込み領域３ｂが位置する写真フィルム配置部１３における撮影光の入射側には、所定の光透過率を備えたフィルタ板４が配置されている。反対側には、データ写し込み用モジュール５が配置されている。これらフィルタ板４およびデータ写し込み用モジュール５によって、カメラ用データ写し込み装置６が構成されている。
【００２９】
　データ写し込み用モジュール５は、写真フィルム配置部２に配置される１コマ
分の写真フィルム３のデータ写し込み領域３ｂに対峙する位置に配置されたデータ写し込み用液晶表示器５１を備えている。このデータ写し込み用液晶表示器５１を介して得られる写し込み用のデータパターンに対応する光像は、写真フィルム３の裏面側から当該写真フィルム３のデータ写し込み領域３ｂに照射され、これによりデータパターンが写真フィルムのデータ写し込み領域３ｂに写し込まれる。
【００３０】
　フィルタ板４は、写真フィルム配置部２から所定の距離の所において当該写真
フィルム配置部２と平行となるように配置されている。また、フィルム配置面２に配置される写真フィルムのデータ写し込み領域３ｂに入射する撮影光の全てを遮断可能な位置に配置されていると共に、データ写し込み領域３ｂに入射する撮影光の全てを遮断可能な大きさに設定されている。このフィルタ板４は例えば長方形の板である。フィルタ板４の構成については後に詳しく説明する。
【００３１】
　図２は、上記のデータ写し込み用モジュール５の要部を模式的に示す平面図で
あり、図３はそのＩＩＩ−ＩＩＩ線で切断した部分の概略断面図である。まず、図２に示すように、データ写し込み用カメラモジュール５は、枠体５２を備え、この枠体５２に回路基板５３が取付けられていると共に、水晶振動子５４、液晶セル駆動用ＩＣ５５、データ写し込み用の光源ランプ５６、データ写し込み用液晶表示器５１およびモニター用液晶表示器５７などの構成部品が実装されている。また、光源ランプ５６からの出射光の光路５８が形成されている。
【００３２】
　図３に示すように、光路５８は、ランプ５６から出射された光を枠板５２の底
面に沿って導くように配置されている。光路５８の先端側には、ランプ５６の光軸に対して４５度に傾斜させた反射ミラー５９が配置されている。また、反射ミラー５９の直下には、反射ミラー５９からの光が通る窓６０ａが形成された遮光板６０が配置されている。遮光板６０の下方位置には、それに対向するように前述したデータ写し込み用液晶表示器５１が配置されている。このデータ写し込み用液晶表示器５１の光出射側が、写真フィルム３が通過する写真フィルム配置面２となっている。なお、遮光板６０の側方には電気導通用コネクタ６０ｂが配置されている。
【００３３】
　データ写し込み用液晶表示器５１は、一対の透明電極基板５１１、５１２の間
に液晶剤（図示せず）が封入された液晶セル５１３と、この液晶セル５１３の光入射側に配置された入射側偏光板５１４と、液晶セル５１３の光出射側に配置された出射側偏光板５１５から基本的に構成されている。液晶セル５１３は液晶剤の配向状態により写真フィルム３に写し込むべきデータパターンを透光部分として形成するようになっている。出射側偏光板５１５の出射側表面には、必要に応じて遮光マスク５１６が積層配置される。この遮光マスク５１６は省略することもできる。
【００３４】
　次に、図４はフィルタ板４の平面図である。フィルタ板４は、厚さが約１ミリ
メートルから約１ミクロンの範囲内の一定の厚さの板であり長方形の輪郭形状をしている。図において、破線で囲んてある長方形の領域４１が、写真フィルム３におけるデータ写し込み領域３ｂに対応する大きさの領域である。本例のフィルタ板４は、第１の光透過率を備えた中心領域４２を有している。この中心領域４２は、長方形の領域４１を包含する大きさの長円形をした領域である。中心領域４２の周囲は、第１の光透過率よりも高い第２の光透過率を備えた周辺領域４３となっている。
【００３５】
　また、図５（Ａ）に示すように、本例のフィルタ板４は、その周囲の縁端４ｃ
は、角を取った円弧状の断面形状となっている。
【００３６】
　ここで、本発明者等は、フィルタ板４の中心領域４２の第１の透過率と、フィ
ルタ板４の写真フィルムにおけるデータ写し込み領域からの距離とを変数として、被写体の輝度の高低に関わらずに、常に、写真フィルム３のデータ写し込み領域３ｂに被写体像を識別可能に写し込め、しかも、データパターンも鮮明に写し込める範囲を求めた。
【００３７】
　図６はこの結果を示すグラフである。このグラフにおいて、良好な写し込みが
得られた範囲Ａを網点で示してある。この領域Ａよりも左側のフィルタ透過率が低い側の領域は「背景が見えないのでＮＧ」な領域Ｂである。すなわち、この領域Ｂは、データ写し込み領域３ｂにはデータパターンは鮮明に写し込まれたものの、被写体像は識別できるほど鮮明には写し込まれなかった領域である。逆に、領域Ａよりも右側のフィルタ透過率が高い側の領域は「写し込み文字が薄いためＮＧ」な領域Ｃである。すなわち、この領域Ｃは、データ写し込み領域３ｂに被写体像は識別可能な状態に写し込まれたものの、データパターンが識別可能なほど鮮明には写し込まれなかった領域である。
【００３８】
　このグラフから分かるように、良好な写し込みが可能な領域Ａを規定する第１
の透過率は当該フィルタ板４から写真フィルムまでの距離に応じて変動する。しかし、フィルタ板４をデータ写し込み領域３ｂに付けた状態である距離が零の場合には、フィルタ板の第１の光透過率を２０％から６０％の範囲内にすれば、良好な写し込みが可能となる。
【００３９】
　このことは、データ写し込み領域３ｂでの受光量に着目すれば、当該データ写
し込み領域３ｂでのフィルタ板４による撮影光の受光量低減率が、フィルタ板４を配置しない場合に比べて、８０％から４０％の範囲内にすれば、良好な写し込みが可能であることを表している。従って、受光量低減率が、この範囲内となるように、フィルタ板４の領域４２における第１の透過率を決定すれば、フィルタ板４の取り付け位置に関わりなく、常に良好な写し込みが得られる。
【００４０】
　なお、このグラフにおいて、距離ａ、ｂ、ｃは、図１において実線、破線およ
び想像線で示すフィルタ板４、４'、４“の位置を示してある。フィルタ板は、写真フィルム配置面１３からの距離が大きくなるのに伴って、その面積を小さくできる。例えば、その中心領域４２の幅は、距離ｂの位置では番号４２'で示す幅にでき、距離ｃの位置では番号４２“で示す幅にでき、距離に応じて小さくすることができる。また、図６のグラフから分かるように、距離が遠くなるのに伴って、適切なデータ写し込みが可能なフィルタ板の光透過率の許容範囲が狭くなると共に、その許容範囲が全体として低い透過率の側に移行する。さらには、写真フィルム配置面１３からの距離が離れる程、フィルタ板の輪郭が写真フィルムの側に鮮明に写し込まれてしまうおそれが少なくなる。換言すると、フィルタ板を離せば、その分、フィルタ板の輪郭をぼやけさせることができる。
【００４１】
　図１に示す本例のカメラ用データ写し込み装置では、フィルタ板４を実線で示
す距離ａの位置、すなわち、写真フィルム配置面１３に近接した位置に配置してある。従って、図６のグラフに示すように、フィルタ板４に、約２０パーセントから約６０パーセントの範囲内の値の第１の光透過率を備えた中心領域４２を形成しておけば、常の良好な写し込みを行うことができる。
【００４２】
　すなわち、撮影レンズ１２からの被写体の撮影光を、この範囲内の値の第１の
光透過率を備えた中心領域４２を通過させた後に写真フィルム３上のデータ写し込み領域３ｂに照射することにより、次のような作用効果が得られる。データ写し込み領域３ｂに写される被写体部分の輝度が高い場合には、撮影光がフィルタ板４の中心領域４２を通ることにより、輝度が低下した状態で被写体部分が写真フィルム３のデータ写し込み領域３ｂに写し込まれる。この結果、被写体の輝度が高い場合、換言すると、データパターンが写し込まれる部分の背景が明るい場合でも、データパターンがデータ写し込み領域３ｂ上に鮮明に写し込まれる。
【００４３】
　逆に、データ写し込み領域３ｂに映される被写体部分の輝度が低い場合にも同
様に輝度が低下した状態で写される。しかし、本例では、フィルタ板４の領域４２の光透過率を約２０パーセントから約６０パーセントの範囲内にしてあるので、このような場合においても、データ写し込み領域３ｂには被写体像が明確に写し込まれる。このため、被写体の輝度が低い場合においても、データ写し込み領域３ｂに写し込まれたデータパターンの背景部分が好適な状態で写し込まれることになる。
【００４４】
　このように、本例のカメラ用データ写し込み装置６を使用すれば、従来のよう
に被写体輝度を測定して輝度が高い場合には遮光マスクを遮光位置に移動して鮮明なデータパターンの写し込みを行なう場合とは異なり、測光機構、遮光マスクの移動機構が不要となり、構造を簡単にすることができ、常にデータ写し込み領域に背景を写すことができ、しかも、データパターンを常に明確な状態で写し込むことができる。
【００４５】
　また、本例においては、フィルタ板４の第１の光透過率の領域４２の周囲には
これよりも透過率の高い第２の透過率を備えた周辺領域４３を形成してある。このために、フィルタ板４の輪郭形状が写真フィルム３の側に明確に写ってしまうことを防止できる。これに加えて、フィルタ板４の周囲の縁は、円弧状の断面形状にしてある。フィルタ板４の縁を図５（Ｃ）に示すような矩形断面形状のままとした場合には、撮影光の一部がその端面４ａで反射して写真フィルム３の側に向かい、このような反射光が原因となって、フィルタ板４の輪郭形状が写真フィルム上に写し込まれてしまうといった弊害、あるいは、このような反射光のために写し込み画像の品質が低下してしまう。しかし本例ではこのような弊害を回避することができる。
【００４６】
　このフィルタ板４の縁端の形状は、例えば図５（Ｂ）に示すように、フィルタ
板４の撮影光の入射側を傾斜面４ｂとして形状としてもよい。この場合においても、フィルタ板４の縁端４ｂで反射した光が写真フィルム３の側に向かうことを回避できる。なお、フィルタ板４の縁端の形状を変える代わりに、図５（Ｃ）に示すような矩形形状のままとしておき、その端面４ａに反射防止用の表面処理を施すようにしてもよい。
【００４７】
　ここで、本発明者等は、距離ａの所に配置したフィルタ板４を用いて、その第
１の透過率と露光量を変数として、写真フィルム３に写し込まれるデータパターンと、その背景である被写体像とを観察した。
【００４８】
　図７にはフィルタ板の透過率と露光量との関係をグラフにしてある。このグラ
フにおいて、網掛けの領域Ａ１が良好な写し込みが得られる領域である。すなわち、この領域Ａ１では、写し込まれたデータパターンである写し込み文字を明確に認識することができ、また、背景も良好に認識することができる。これに対して領域Ｂ１は、フィルタ板の透過率が低過ぎるために背景が殆ど認識できない程度に暗くなってしまう領域である。また、領域Ｃ１は、背景が明るすぎるために、写し込み文字が薄くて殆ど認識できない領域である。一般的なカメラにおける露光量の範囲内において、露光量の高低に左右されずに良好な写し込み状態が得られるのは、一般的には、フィルタ板４の光透過率が約２０パーセントから約６０パーセントの範囲内であると判断される。
【００４９】
　図８には、一般的に市販されているフィルタを使用した実験結果を示してある
。使用したフィルタは一般的に市販されている透過率が５０パーセントで露出値が−１ＥＶのフィルタと、透過率が２５パーセントで露出値が−２ＥＶのフィルタと、透過率が１３パーセントで露出値が−３ＥＶのフィルタを使用した。この結果、図に示すように、５０パーセントのフィルタおよび２５パーセントのフィルタをフィルタ板４として使用した場合には良好な結果が得られた。特に、透過率が５０パーセント（−１ＥＶ）から２５パーセント（−２ＥＶ）の範囲にあるフィルタであれば同様に良好な結果が得られる。
【００５０】
　以上説明したように、本例のカメラ用データ写し込み装置６を使用することに
より、常に良好な状態でのデータパターンの写し込みを行なうことができる。
【００５１】
（その他の実施の形態）
　図９（Ａ）には、フィルタ板の変形例を示してある。この例においては、フィルタ板４の代わりに、写真フィルム３の一コマ分を覆うに足る大きさのフィルタ板４００を使用した点が異なっている。その他の点は上記の例と同様であるので、対応する部分の説明は省略する。このフィルタ板４００は、図９（Ｂ）に示すように、写真フィルム３のデータ写し込み領域３ｂに対峙する領域（図において破線で囲ってある長方形の部分）を包含する大きさの長円形の領域４０１を備えている。この領域は第１の光透過率を備えた領域である。また、この第１の光透過率を備えた領域４０１を囲む状態に第２の光透過率を備えた領域４０２が形成されている。この第２の光透過率を備えた領域４０２以外の外側の部分４０３は、透過率がほぼ１００パーセントに近い領域としてある。
【００５２】
　このように構成したフィルタ板４００を使用しても上記の実施例と同様の効果
が得られる。また、このフィルタ板４００を用いた場合には、その取付けを簡単に行なうことができる。
【００５３】
　なお、上記のフィルタ板４、フィルタ板４００においては、データ写し込み領
域の中心に第１の光透過率を備えた領域を形成し、その周囲の第２の光透過率を備えた領域を形成してあり、これらの境界部分では光透過率が切り換わっている。この代わりに、第１の光透過率を備えた領域の周囲の部分においては、フィルタ板の周辺に向かうに伴って光透過率が漸増するように設定してもよい。このようにすれば、フィルタ板の輪郭等が写真フィルムに写し込まれることを一層確実に回避することができる。
【００５４】
　さらには、第１の光透過率を備えた中心領域においても、その周辺部分から中
心部分に向けて徐々に光透過率が低くなるようにしてもよい。
【００５５】
　一方、フィルタ板の光透過率を変える代わりに、当該フィルタとして、赤色光
以外の波長の光を透過させる光透過特性を備えたものを採用してもよい。一般的には、写真フィルムの裏側から画像の写し込みを行うと、写真フィルムの感度は赤側が高くなり、写し込まれたデータパターンは赤側の色となる。従って、撮影光から赤色光を除去すれば、赤色系で写し込まれたデータパターンを鮮明化することができる。
【図面の簡単な説明】
【００５６】
【図１】本発明を適用したカメラ内部における撮影レンズ、写真フィルム、およびカメラ用データ写し込み装置の配置関係を示す説明図である。
【図２】図１のカメラ用データ写し込み装置の構成部品であるデータ写し込み用カメラモジュールの概略平面図である。
【図３】図２のＩＩＩ−ＩＩＩ線で切断した部分の概略断面図である。
【図４】図１のカメラ用データ写し込み装置の構成部品であるフィルタ板を示す説明図である。
【図５】図４のフィルタ板の縁端の断面形状を示す部分断面図である。
【図６】フィルタ板の光透過率と、フィルタ板から写真フィルム配置部までの距離とに基づく、データパターンおよびその背景の写し込み状態の判別結果を示すグラフである。
【図７】フィルタ板の光透過率と露光量に基づく、データパターンおよびその背景の写し込み状態の判別結果の例を示すグラフである。
【図８】市販のフィルタを使用した場合におけるデータパターンおよびその背景の写し込み状態の判別結果の例を示す説明図である。
【図９】フィルタ板の変形例を示す説明図である。
【符号の説明】
【００５７】
１　　カメラ本体
１１　　　　　　　カメラ筐体
１２　　　　　　　撮影レンズ
１３　　　　　　　写真フィルム配置部
３　　写真フィルム
３ｂ　データ写し込み領域
４　　フィルタ板
４１　　　　　　　データ写し込み領域に対応する領域
４２　　　　　　　第１の光透過率を備えた中心領域
４３　　　　　　　第２の光透過率を備えた周辺領域
５　　データ写し込み用モジュール
６　　カメラ用データ写し込み装置
５１　データ写し込み用液晶表示器
５６　データ写し込み用の光源ランプ
４００　フィルタ板
４０１　第１の光透過率を備えた中心領域
４０２　第２の光透過率を備えた周辺領域
【図１】
2004046270.tif 000003
【図２】
2004046270.tif 000004
【図３】
2004046270.tif 000005
【図４】
2004046270.tif 000006
【図５】
2004046270.tif 000007
【図６】
2004046270.tif 000008
【図７】
2004046270.tif 000009
【図８】
2004046270.tif 000010
【図９】
2004046270.tif 000011